(57)【要約】本発明の一実施形態に係る時計は、表示しようとする第１国の時刻を示す第１時針と、表示しようとする第２国の時刻を示す第２時針を含む時針部と、夜１２時をなす基準線を含む時間が表示される時針盤と、日付変更線と都市名が表示され、前記第１時針と回転される都市銘盤と、前記日付変更線を基準に連続する２つの日付を表示する日付表示部を含み、前記日付表示部は、上記時針盤に対して相対的に回転する前記都市銘盤に設けられた上記日付変更線が上記時針盤に設けられた上記基準線を通ることに連動して、日付を変動することを特徴とする。本発明に係る時計は、海外旅行者、海外ビジネス活動家などの海外活動の増加に伴い必要とされるデュアル時計をアナログ形状になし、様々な趣向や消費欲求に応じた新たな形態を提示することはもちろん、２カ国に属する時刻に対応して異なる日付を表示することにより、ユーザーが容易に時刻と日付を認識することができる。【選択図】  図１
2018514774.tif 000002
【特許請求の範囲】
【請求項１】
表示しようとする第１国の時刻を示す第１時針と、表示しようとする第２国の時刻を示す第２時針とを含む時針部と、
夜１２時をなす基準線を含む時間が表示される時針盤と、
日付変更線と都市名が表示され、前記第１時針と一緒に回転する都市名盤と、および前記日付変更線を基準に連続する２つの日付を表示する日付表示部とを含み、
前記日付表示部は、前記時針盤に対して相対的に回転する前記都市名盤に設けられた前記日付変更線が前記時針盤に設けられた前記基準線を通ることに連動して日付を変動することを特徴とする時計。
【請求項２】
前記時針盤の色相をなし、または、前記時針盤の一面に設けられ色相を表示する色相表示部をさらに含み、前記色相表示部は、前記基準線および前記日付変更線を基準に区別される２色の色相を表示することを特徴とする請求項１に記載の時計。
【請求項３】
前記色相表示部は、前記基準線から時計回りに日付変更線まで第１の色相を表示し、日付変更線から時計回りに基準線まで第２の色相を表示することを特徴とする請求項２に記載の時計。
【請求項４】
「分」が表示される分針盤をさらに含み、前記時針盤と前記分針盤は、時計の外観をなすフレームに固定されることを特徴とする請求項１に記載の時計。
【請求項５】
前記時針盤に表示される「時」マークと、前記分針盤に表示される「分」マークは、互いに干渉されないように異なる直径を成して表示されることを特徴とする請求項４に記載の時計。
【請求項６】
前記第１時針は、前記都市名盤上に固定されるか、または表示物からなり、一緒に回転することを特徴とする請求項１に記載の時計。
【発明の詳細な説明】
【技術分野】
【０００１】
本発明は、時計に関する。
【背景技術】
【０００２】
時計は、一般に時針、分針および秒針に時間が表示できるように、時、分、秒を表し、０時から２４時までの時間で表示して、ユーザに通知する。
【０００３】
すなわち、時計は通常、中央上部に１２時を「時」表示し、１２時の「時」表示を基準に、右側に一定の「時」間隔をおいて、６時を中央下部に「時」表示し、６時の「時」表示の左側に７時、８時、９時などの「時」表示をする。
【０００４】
秒針が１２時の「時」表示を基準に右側に移動し、１回転した時、６０秒で１分であり、分針が右側に１分移動し、分針が１２時の「時」表示を基準に右側に移動し、１回転した時、６０分であり、１時間に時針が右側に１時間移動する。
【０００５】
時針が、１２時の「時」表示を基準に右側に移動し、１回転した時、１２時間であり、正午又は深夜０時になり、時針、分針、秒針は、同時に回転して時間を表す時刻の位置を表現する。
【０００６】
これらの時計は、使用目的、スペースなどの特性に応じて壁掛け時計、置き時計、腕時計等に区別され、アラームなどの機能が備えられたり、キャラクターが装飾されることもする。
【０００７】
また、時計は、時計の駆動原理に基づいてアナログ時計とデジタル時計とに区別されたりもする。
【０００８】
このようは時計は、一般に１日２回転して２４時間を表したり、アナログ方式である時針の移動表示とは異なり、デジタル方式で限られた数字の変動による２ヶ国の時間を表示するデュアル時計が市販されているのが実情である。
【０００９】
特に、海外旅行者、海外ビジネス活動家などの活動が増加している傾向にあるが、単純な数字の変動による時間の表示は、ユーザの購買までつながらないため、競争力強化のための多様な趣向の需要に合った新規市場の開拓が必要となり、改善が要求される。
【発明の概要】
【発明が解決しようとする課題】
【００１０】
本発明は、従来技術を改善すべく創出されたものであって、本発明の目的は、消費者の多様な趣向と欲求に応じた新たな形態の時計を提示することで、競争力を高めることができる時計を提供するものである。
【課題を解決するための手段】
【００１１】
本発明の一実施形態に係る時計は、表示しようとする第１国の時刻を示す第１時針と、表示しようとする第２国の時刻を示す第２時針とを含む時針部と、夜１２時をなす基準線を含む時間が表示される時針盤と、日付変更線と都市名が表示され、前記第１時針と共に回転される都市名盤と、前記日付変更線を基準に連続する２つの日付を表示する日付表示部を含み、該日付表示部は、前記時針盤に対して相対的に回転する前記都市名盤に設けられた前記日付変更線が前記時針盤に設けられた前記基準線を通ることに連動し、日付を変動することを特徴とする。
【００１２】
詳しくは、前記時針盤の色相になったり、または前記時針盤の一面に設けられ色相を表示する色相表示部をさらに含み、前記色相表示部は、前記基準線および前記日付変更線を基準に区別される２色の色相を表示することができる。
【００１３】
詳しくは、前記色相表示部は、前記基準線から時計回りに日付変更線まで第１の色相を表示し、日付変更線から時計回りに基準線まで第２の色相を表示することができる。
【００１４】
詳しくは、「分」が表示される分針盤をさらに含み、前記時針盤と前記分針盤は、時計の外観をなすフレームに固定されることを特徴とする。
【００１５】
詳しくは、前記時針盤に表示される「時」マークと前記分針盤に表示される「分」マークは、互いに干渉しないように、別の直径をなして表示されることを特徴とする。
【００１６】
詳しくは、前記第１時針は、前記都市名盤上に固定されたり、表示物で構成され、一緒に回転されることを特徴とする。
【発明の効果】
【００１７】
本発明に係る時計は、海外旅行者、海外ビジネス活動家などの海外活動の増加に伴い要求されるデュアル時計を、アナログ形状にし、多様な趣向と消費欲求に応じた新たな形態を提示することはもちろん、２カ国に属する時刻に対応して相異する日付を表示することにより、ユーザが容易に時刻および日付を認識することができる。
【図面の簡単な説明】
【００１８】
【図１】本発明の一実施形態に係る時計の日付変更線と基準線がずれた状態を示す図面である。
【図２】本発明の一実施形態に係る時計の日付変更線と基準線が重なった状態を示す図面である。
【図３】本発明の一実施形態に係る時計の日付変更線と基準線がずれた状態を示す図面である。
【図４】本発明の一実施形態に係る時計の構成が分離した状態を概念的に示す図面である。
【発明を実施するための形態】
【００１９】
本発明の目的、特定の長所および新規な特徴は、添付された図面に関連する以下の詳細な説明と、好ましい実施形態からさらに明らかになるだろう。
【００２０】
本明細書では、各図面の構成要素に参照番号を付加することにおいて、同一の構成要素に限り、たとえ他の図面上に表示されたとしても、できるだけ同じ番号を持つようにしていることに留意しなければならない。
【００２１】
また、本発明を説明するにおいて、関連する公知技術に対する具体的な説明が、本発明の要旨を不要に曖昧にすると判断された場合、その詳細な説明は、省略する。
【００２２】
以下、添付された図面を参照して、本発明の好ましい実施形態を詳細に説明する。
【００２３】
図１は、本発明の一実施形態に係る時計の日付変更線と基準線がずれた状態を示す図であり、図２は、本発明の一実施形態に係る時計の日付変更線と基準線が重なった状態を示す図であり、図３は、本発明の一実施形態に係る時計の日付変更線と基準線がずれた状態を示す図であり、図４は、本発明の一実施形態に係る時計の構成が分離された状態を概念的に示す図である。
【００２４】
図１〜図４に示すように、本発明の一実施形態に係る時計１００は、時針部１１０、文字盤１２０、都市名盤１３０、色相表示部１４０、日付表示部１５０を含み、これらの構成が内蔵されているフレーム(図示せず)とカバー(図示せず)から成る。
【００２５】
ここで、フレーム内部に時針部１１０、文字盤１２０、都市名盤１３０、色相表示部１４０等の構成が設けられ、フレームが外観を形成し、カバーによってフレームを密閉することができる。
【００２６】
ただし、カバーは、時計１００内部の時針部１１０、文字盤１２０等の構成を識別することができるように透明とすることができ、一例として、ガラスなどからなることができる。
【００２７】
時針部１１０は、流れる時間に対応して時間の「時」 (ｈｏｕｒ)、「分」 (Ｍｉｎｕｔｅ)、「秒」 (ｓｅｃｏｎｄ)の中で、「時」の時刻を表示する構成であって、動力源(図示せず)の一例として、ムーブメント(Ｍｏｖｅｍｅｎｔ)から動力が伝達され、一定の速度で回転することができる。
【００２８】
ここで、ムーブメントは自動巻き(ａｕｔｏｍａｔｉｃ、ｓｅｌｆ−ｗｉｎｄｉｎｇ)、手動式(手巻き、Ｍａｎｕａｌ ｗｉｎｄｉｎｇ)のような機械式と、クォーツ(ｑａｕｒｔｚ)、キネティックのような電子式など、公知となった一般的技術が適用され、利用することができる。
【００２９】
もちろん、ムーブメントは、時針部１１０だけでなく、都市名盤１３０等、動力を必要とする構成に、通常の構造に接続されて動作を実行させることができる。
【００３０】
時針部１１０は、同時間に別のスペースによる異なる時刻を有する２カ国の時刻を表示するように、第１時針１１１と第２時針１１２を含む。
【００３１】
第１時針１１１は、表示しようとする第１国の時刻を示すように回転し、第２時針１１２は、第２国の時刻を示すように回転する。
【００３２】
ここで、第１時針１１１は、ユーザが基準とする国である第１国の時刻を表示し、第１時針１１１が都市名盤上に転写印刷、ステッカーなどの方式でマーキングされ、都市名盤１３０の回転と一緒に回転することができる。
【００３３】
これとは別に、第１時針１１１は、第２時針１１２のように別途の針からなり、回転することもできる。
【００３４】
これは、第１時針１１１および/または第２時針１１２が指す国がユーザによって選択されるようにするためである。
【００３５】
また、時刻が表示される２つの国は、時間差がＮ(自然数)の時間であることもあるが、時間差がＮ(自然数)の時間にＭ(自然数)分が加わった差異が生じることもある。
【００３６】
すなわち、時間差がＮ(自然数)時間、Ｍ(自然数)分である場合、第１国と第２国間の時間差が「時」、「分」からなるため、分針１１５は、時針部１１０と同様に２つに分離してなることができる。
【００３７】
分針１１５のメカニズムは、時針部１１０と同様であるため、重複する説明は省略する。
【００３８】
ただし、分針１１５は、時針部１１０とは異なり、６０分(１時間)に１回転してなる。
【００３９】
また、説明していない識別符号１１７は、時針１１７であったり、第２国の分針であったりすることができる。
【００４０】
また、時針部１１０と分針１１５の形状は、ロッド、矢印など公知の多様な形状が可能であり、第１時針１１１と、第２時針１１２と、分針１１５の区別は、彩度、明るさ、透明度などの色相によって区別されたり、文字、記号などの表示で区別されたり、形および形態などに区別されるなど、多様な変形例が可能である。
【００４１】
ただし、本実施形態では、時間が「時」、「分」、「秒」の中、「時」がフレームの外郭に近接して表示され、「分」が中心に近接して表示されることがあるが、この時、「時」の時刻を容易に把握できるように時針部１１０は、「時」が表示される目盛りのような表示物に近づけるよう分針１１５に比べて長くなることがある。
【００４２】
文字盤１２０は、時間が表示され、時針部１１０と分針１１５による時刻表示がなされることができ、時間の「時」、「分」、「秒」の中、「時」を表示する時針盤１２１を含むことができる。
【００４３】
時針盤１２１は、夜１２時をなす基準線１２１Ａを含む時間が表示される。
【００４４】
時針盤１２１は、１日１回転する時針部１１０が指す時刻を区別できるように円周に沿って２４等分することができる。
【００４５】
ここで、基準線１２１Ａは、ＰＭ(夜)からＡＭ(昼間)に変動する時点である午後１２時であって、日付が変動される基準を意味することができる。
【００４６】
一例として、時針盤１２１は、時計１００の外観をなすフレームに固定され、時針盤１２１と個別に「分」が表示される文字盤１２０の分針盤１２２が、フレームに固定されるように設けられても良い。
【００４７】
これとは別に、時針盤１２１には、時間の「分」が一緒に表示されることもできるが、本実施形態では、時針盤１２１と分針盤１２２とが個別になっていることを一例として説明する。
【００４８】
すなわち、「時」と「分」の表示は、時針盤１２１と分針盤１２２が個別に表示されるか、または時針盤１２１上に「時」と「分」が一緒に表示されるかに拘らず、ユーザが認識できるように個別に表示されることができる。
【００４９】
例えば、「時」と「分」の表示は、目盛り(例えば、図形、点、線)または、符号(一例として、アラビア数字、ローマ文字)、またはこれらの組み合わせによって多様な形からなることができ 、「時」と「分」の区別は、太さ、長さ、大きさなど、様々な表現方式でなすことができる。
【００５０】
本実施形態では、時針盤１２１と分針盤１２２が個別になされ、時針盤１２１と分針盤１２２が上下一列にフレームに積層される構造からなることができる。
【００５１】
ここで、時針が１から２４までの数字を表示するのに対し(本実施形態の時計は、時針が１日１右折し、時針が２４時間を個別に表示することができる)、分針と秒針は、同様に１から６０までの数字を表示することによって、時刻を表すため、分針盤１２２は、秒針の標識として利用されることができる。
【００５２】
この時、分針１１５と秒針は、厚さや長さなどを変えて、「分」と「秒」を区別することができ、または秒針が省略されることもある。
【００５３】
このような、時針盤１２１、分針盤１２２は、同様にフレームに固定されるが、時針部１１０と分針１１５が互いに干渉されないように、互いに上下離隔された形態であっても良い。
【００５４】
ここで、時針盤１２１、分針盤１２２は、ユーザが「時」、「分」、「秒」を簡単に認知することができるように、「時」、「分」、「秒」が表示されている直径が異なる形態で成されることができる。
【００５５】
一例として、第１直径を有する円周に沿って「時」が表示されている時針盤１２１が設けられ、第１直径よりも小さい直径を有する第２直径の円周に沿って「分」が表示されている分針盤１２２が設けられることができる。
【００５６】
この時、時針盤１２１、分針盤１２２の上下積層順序は制限されないが、時針盤１２１、分針盤１２２上にそれぞれ表示されるマークが隣接した時針盤１２１と分針盤１２２に干渉しないように、直径が最も大きい第１直径上に「時」が表示される時針盤１２１が下部に設けられ、その上部に第２直径上に表示される分針盤１２２が設けられることができる。
【００５７】
また、分針盤１２２によって時針盤１２１の「時」表示が隠れないように、「分」表示の外郭から「時」表示領域は、透明になることができる。
【００５８】
これに対し、分針盤１２２の上部に時針盤１２１が設けられ、分針盤１２２の「分」表示が隠れないように「分」表示の部分が透明な時針盤１２１で成されることもある。
【００５９】
ここで、時針盤１２１、分針盤１２２に表示される時間は、多様な印刷方式およびメッキなどによって形成され、一例として公知となった転写印刷方式(紙に印刷されたフィルムを表面に転写する方式)、オフセット(ｏｆｆ−ｓｅｔ)印刷方式(イメージをゴムブランケットに転写して用紙に印刷する方式)、スクリーン印刷方式(絹などをスクリーンとして利用して非画線部の部分を型紙に阿膠剤で覆い隠した後、その上にインクを流して画線部にだけインクがスクリーンを通過して印刷される方式)等によって成されることができる。
【００６０】
この時、分針盤１２２は、分針を表示すると同時に、秒針を表示する盤として用いられることができる。
【００６１】
すなわち、本発明において、分針盤１２２は、分針および/または時針を指すことができる。
【００６２】
都市名盤１３０は、時間を知りたい都市を表示する構成であって、都市名盤１３０には、都市名が表示されるが、第１国と第２国の外に複数の国が表示され、ユーザの選択に応じて第２国は、選択変更することができる。
【００６３】
この時、第２時針１１２は、第２国の変更に対応する都市名に回転することができ、これは一般に時針が表示する時間を変更させる動作と同じ動作であって、第２時針１１２が指す所に移動させることによってなされることができる。
【００６４】
これらの都市名盤１３０は、第１時針１１１と一緒に回転し、第１時針１１１が指す第１国の時刻により連動し、駆動源によって回転し、都市名盤１３０の回転は、第１時針１１１の回転と同じメカニズムで成り立つことができる。
【００６５】
都市名盤１３０には、都市名だけでなく、日付変更線１３１が表示される。
【００６６】
都市名盤１３０に表示される日付変更線１３１は、マークからなる表示物であってもよく、日付変更線１３１を基準として第１国と第２国の日付変動が検知され、日付表示部１５０に表示される日付が変更されることができる。
【００６７】
このような、日付変更線１３１は、ユーザの目に可視的に表示されることができる。
【００６８】
色相表示部１４０は、日付表示部１５０に連動し、日付表示部１５０の色相に対応して様々な都市を該当日付の区域に含まれるように表示することによって、色相に表示される日付に都市が位置すると、色相に対応する都市の日付が日付表示部１５０と同じ色相の日付からなるものであって、ユーザに都市と日付を直観的にすぐに認識させることができる。
【００６９】
すなわち、色相表示部１４０は、基準線１２１Ａと日付変更線１３１を基準に区別される２色の色相を表示することができる。
【００７０】
具体的に色相表示部１４０は、基準線１２１Ａから時計回りに日付変更線１３１までは、第１の色相を表示し、日付変更線１３１から時計回りに基準線１２１Ａまでは第２の色相を表示することができる。
【００７１】
このような、色相表示部１４０は、基準線１２１Ａと日付変更線１３１の検知により、基準線１２１Ａおよび日付変更線１３１を基準に２色の色相を表示する。
【００７２】
一例として、色相表示部１４０には、センサー(図示せず)と制御部(図示せず)が含まれ、センサーが基準線１２１Ａと日付変更線１３１の変動を検知すると、制御部に信号を送信し、制御部により、色相表示部１４０の色相が変更されることができる。
【００７３】
ここで、色相相表示部１４０は、時針盤１２１自らの色相をなすことができる。
【００７４】
これとは別に、時針盤１２１の下面または上面に別途の盤状に色相表示部１４０が設けられて色相を表示する。
【００７５】
ここで、色相表示部１４０の色相表示は、デジタルからなり色相変更がなされることができる。
【００７６】
すなわち、色相表示部１４０は、時針盤１２１と一体型であっても良い。
【００７７】
ただし、色相表示部１４０は、本発明で省略されることができる。
【００７８】
すなわち、ユーザは、色相表示部１４０がなくても、時針盤１２１の基準線１２１Ａと都市名盤１３０の日付変更線１３１を利用して日付を把握することができる。
【００７９】
日付表示部１５０は、第１時針１１１に表示される第１国の日付を表示する第１日付盤１５１と、第２時針１１２に表示される第２国の日付を表示する第２日付盤１５２を具備する。
【００８０】
ここで、第１日付盤１５１と第２日付盤１５２が指す日付は、第１国と第２国の都市に該当する相異する日付であるため、色相が異なることで日付が異なることをユーザに認識させることができる。
【００８１】
それに対し、第１国と第２国が昼間と夜であるなど、同じ日付である場合、同じ色相で表示されることもできる。
【００８２】
このような、日付表示部１５０は、日付変更線１３１が基準線１２１Ａを通ることに連動して日付が変動される。
【００８３】
すなわち、日付表示部１５０は、時針盤１２１に対して相対的に回転する都市名盤１３０に設けられた日付変更線１３１が、時針盤１２１に設けられた基準線１２１Ａを通ることに連動して日付を変動することができる。
【００８４】
このように、日付表示部１５０は、日付が２つ表示される時計１００をなすことによって、世界の日付変更線１３１が０時(ＡＭ １２時)を過ぎると、日付表示が変わる。
【００８５】
例えば、第１時針１１１の０時が過ぎた時は、日付は変更されず、日付変更線１３１が０時を過ぎた時、日付表示が変わることができる。
【００８６】
これにより、各都市別に、日付と時間を同時に知ることが出来る。
【００８７】
また、本実施形態では、日付表示部１５０は、日付だけでなく、日付に該当する曜日が表示され、日付の変動と曜日が連動して変更されるのはもちろん、曜日の変動は日付変更のメカニズムと同一である。
【００８８】
なおかつ、第１日付盤１５１、第２日付盤１５２の日付の変動は、それぞれが３６５日が入力され、日付の変動によって自動に変動することができ、日付の最後の日が、２８、２９、３０、３１日のように月ごとに異なる最後の日に基づいて新しく始まる日の１日をユーザが直接入力することもできるなど、多様な実施形態が可能である。
【００８９】
なお、第１日付盤１５１と第２日付盤１５２の日付が同じである場合、同じ色相をなし、第１日付盤１５１と第２日付盤１５２が連続する２つの日付として、互いに異なる日付を表示する場合には、それぞれ違う色相(一例として赤、青など補色で対比される色相)からなることができる。
【００９０】
図面を通じて具体的に説明すると、図１に示すように、日付表示部１５０は、２つの日付が表示され、日付変更線１３１を基準に半時計回りに位置する都市の日付は現在２１日で、日付変更線１３１を基準に時計回りに位置する都市の日付は現在２０日になる。
【００９１】
すなわち、日付変更線１３１を時計回りに通るとき、日付が一日減る。
【００９２】
ところで、図１の時刻から約８時間が経過すると、図２に示すように、日付変更線１３１が基準線１２１Ａに重なるようになる。
【００９３】
この場合、全世界の日付が２１日になる。
【００９４】
すなわち、日付表示部１５０は、日付を２つ表示するが、同じ日付の２１日を２つ表示することができる。
【００９５】
すなわち、日付表示部１５０において、右側に表示された日付のみ一日が加わる。
【００９６】
以後、時間がさらに経過して、図３に示すように、日付変更線１３１が基準線１２１Ａから時計回りに移動すると、日付表示部１５０は、再び２つの互いに異なる日付を表示する。
【００９７】
この時、日付表示部１５０は、左側に表示される日付のみに一日が加えて表示し、日付表示部１５０が表示される日付は２２日と２１日になる。
【００９８】
すなわち、日付表示部１５０から右側の日付は、日付変更線１３１が基準線１２１Ａに重なる時、一日がさらに加わり、日付表示部１５０から左側の日付は、日付変更線１３１が基準線１２１Ａから時計回りに移動する時、一日がさらに加わる。
【００９９】
このような時計１００は、アナログ形態からなる時針部１１０、文字盤１２０、都市名盤１３０、色相表示部１４０それぞれの構成が、金属、プラスチックまたはこれに相応する材質からなる実物で構成され、動作することができる。
【０１００】
これに対し、時計１００は、デジタル方式からなり、ディスプレイ上に時針部１１０、文字盤１２０、都市名盤１３０、色相表示部１４０がデジタルで表示されるか、ユーザがアナログ形状で認識できる形態からなることもある。
【０１０１】
また、時計１００は、アナログ方式、デジタル方式などが混ざり合った形態であっても良く、一例として文字盤１２０、都市名盤１３０は、フレーム内で回転する機械式のアナログ方式からなり、色相表示部１４０は、色相変更がプログラミングされた形態からなることができる。
【０１０２】
前述した時針部１１０、都市名盤１３０等の回転は、アナログ形態では駆動源に基づく物理的回転になることができ、デジタル形態ではディスプレイ上で色相などの変化を通じてユーザが回転として認識することができる。
【０１０３】
すなわち、本実施形態は、それぞれの構成がなす材質、形状、メカニズムが制限されず、２カ国以上の国に属する時間を個別に表示し、国別に相異する日付を簡単にユーザが認識することができる。
【０１０４】
このように本実施形態は、海外旅行者、海外ビジネス活動家などの海外活動増加に伴い必要とされるデュアル時計をアナログ形状に成し、多様な趣向と消費欲求に応じた新しい形態を提示することはもちろん、２カ国に属する時刻に対応して相異する日付を表示することによってユーザが容易に時刻および日付を認識することができる。
【０１０５】
以上、本発明を具体的な実施形態を通じて詳細に説明したが、これは本発明を具体的に説明するためのものであって、本発明は、これに限定されず、本発明の技術的思想内において当該分野の通常の知識を有する者によってその変形や改良が可能であることは明らかであるとするものである。
【０１０６】
本発明の単純な変形ないし変更は、全て本発明の領域に属するものであって、本発明の具体的な保護範囲は、添付された特許請求範囲によって明確になるものである。
【符号の説明】
【０１０７】
１００:時計
１１０:時針部
１１１:第１時針
１１２:第２時針
１１５:分針
１２０:文字盤
１２１:時針盤
１２１Ａ:基準線
１２２:分針盤
１３０:都市名盤
１３１:日付変更線
１４０:色相表示部
１５０:日付表示部
１５１:第１日付盤
１５２:第２日付盤
【図１】
2018514774.tif 000003
【図２】
2018514774.tif 000004
【図３】
2018514774.tif 000005
【図４】
2018514774.tif 000006
【国際調査報告】
2018514774.tif 000007
2018514774.tif 000008
2018514774.tif 000009
2018514774.tif 000010